(57)【要約】【課題】全体を小型化して利便性を高くした麺流し器を提供する。【解決手段】上部に配置される麺セット部１と、下部に配置される麺受け入れ部４と、麺セット部１から放出された麺を、麺受け入れ部４まで落下させる螺旋状の経路を有する螺旋樋３と、麺受け入れ部内の水を吸い上げて上部に移送する円筒支柱２０と、を備え、円筒支柱２０が螺旋樋３の中心部に配置されていることを特徴とする。【選択図】図１
0003215001.tif 000002
【実用新案登録請求の範囲】
【請求項１】
上部に配置される麺セット部と、
下部に配置される麺受け入れ部と、
麺セット部から放出された麺を、麺受け入れ部まで落下させる螺旋状の経路を有する螺旋樋と、
麺受け入れ部内の水を吸い上げて上部に移送する水移送部と、を備え、
前記水移送部が前記螺旋樋の中心部に配置されていることを特徴とする麺流し器。
【請求項２】
前記麺セット部は、麺をセット可能な収納区画が複数設けられた容器であることを特徴とする請求項１に記載の麺流し器。
【請求項３】
前記麺セット部には、前記螺旋樋の中心部まわりに回転可能な羽根部が、前記中心部から放射状に複数突出しており、隣接する羽根部と羽根部の間に前記収納区画が形成され、所定位置に収納区画が回転移動したときに、収納区画内の麺が螺旋樋に放出されることを特徴とする請求項２に記載の麺流し器。
【請求項４】
前記所定位置において、前記麺セット部を構成する容器の底部に穴が形成され、この穴を介して麺が前記螺旋樋に放出されることを特徴とする請求項３に記載の麺流し器。
【請求項５】
前記螺旋樋の傾斜が下部に行くほど緩くなるように設定されていることを特徴とする請求項１~４のいずれか１項に記載の麺流し器。
【請求項６】
前記麺セット部の上部に氷セット部が配置され、この氷セット部内に上部まで移送された水が放出されるように構成され、氷セット部に形成された穴から水が前記麺セット部に放出されるように構成されていることを特徴とする請求項１〜５のいずれか１項に記載の麺流し器。
【請求項７】
前記氷セット部の上面に着脱自在な蓋が設けられ、この蓋により前記羽根部を回転可能に支持する支軸の上端が支持されることを特徴とする請求項６に記載の麺流し器。
【請求項８】
前記氷セット部は、着脱自在に麺セット部の上部に配置されることを特徴とする請求項６又は７に記載の麺流し器。
【考案の詳細な説明】
【技術分野】
【０００１】
本考案は、特に家庭でそうめん流しを楽しむことができる麺流し器に関する。
【背景技術】
【０００２】
屋内でそうめん流しを楽しむことができ麺流し器として、下記特許文献１に開示された携帯用流し麺器がある。この流し麺器は、適宜の長さの樋を複数本連結し、各樋は、最上部から徐々に傾斜していく姿勢で取り付けられ、最下部に桶が設置されポンプにより水を吸い上げて最上部に放出する。樋が連結された状態ではコの字あるいはロの字の経路が形成される。
【先行技術文献】
【特許文献】
【０００３】
【特許文献１】特開平１１−９４１９公報
【考案の概要】
【考案が解決しようとする課題】
【０００４】
しかしながら、上記先行技術の構成は、複数の樋が直角に連結されると共に、水を吸い上げるポンプと連結管が樋の外側に位置しており、流し麺器自体が大きくなると共に、使用しないときは、構成部品を分解して片付ける必要があり、非常に煩雑である。
【０００５】
本考案は上記実情に鑑みてなされたものであり、その課題は、全体を小型化して利便性を高くした麺流し器を提供することである。
【課題を解決するための手段】
【０００６】
上記課題を解決するため本考案に係る麺流し器は、
上部に配置される麺セット部と、下部に配置される麺受け入れ部と、麺セット部から放出された麺を、麺受け入れ部まで落下させる螺旋状の経路を有する螺旋樋と、麺受け入れ部内の水を吸い上げて上部に移送する水移送部と、を備え、前記水移送部が前記螺旋樋の中心部に配置されていることを特徴とするものである。
【０００７】
かかる構成による麺流し器の作用・効果を説明する。上部に麺セット部が設けられており、ここに麺をセットする。セットされた麺は螺旋樋を自然落下して麺受け入れ部に受け入れられる。麺受け入れ部には水を入れておき、水移送部により上部まで吸い上げることができる。吸い上げられた水は、螺旋樋を通って再び麺と一緒に落下して循環する。螺旋樋を設けているので、平面的に大きなスペースを必要としない。また、螺旋樋の中心部に水移送部を配置したので、螺旋樋の外側にはみ出すことなく水移送部を構成でき、スペースを有効活用することができる。その結果、全体を小型化して利便性を高くした麺流し器を提供することができる。
【０００８】
本考案に係る前記麺セット部は、麺をセット可能な収納区画が複数設けられた容器であることが好ましい。
【０００９】
かかる収納区画を設けることで、麺をセットしやすくすると共に、複数の麺を順に流すことができ、複数あるいは大勢の人数で麺流しを楽しむことができる。
【００１０】
本考案に係る前記麺セット部には、前記螺旋樋の中心部まわりに回転可能な羽根部が、前記中心部から放射状に複数突出しており、隣接する羽根部と羽根部の間に前記収納区画が形成され、所定位置に収納区画が回転移動したときに、収納区画内の麺が螺旋樋に放出されることが好ましい。
【００１１】
この構成によると、回転する羽根部により麺をセットする収納区画を構成できると共に、羽根部を回転させることで、収納されている麺を螺旋樋に放出することができる。
【００１２】
本考案に係る前記所定位置において、前記麺セット部を構成する容器の底部に穴が形成され、この穴を介して麺が前記螺旋樋に放出されることが好ましい。
【００１３】
かかる構成により、羽根部が回転して麺が穴の位置に来ると、穴から螺旋樋に麺を放出することができる。羽根部が回転することで、収納区画の麺を次々と螺旋樋へ放出することができる。
【００１４】
本考案において、前記螺旋樋の傾斜が下部に行くほど緩くなるように設定されていることが好ましい。
【００１５】
螺旋樋を自然落下させると麺の落下スピードも徐々に速くなるので、螺旋樋の傾斜を下に行くほど徐々に緩くすることで、麺の速度が速くならないようにし、安定した状態で麺を麺受け入れ部に流すことができる。
【００１６】
本考案において、前記麺セット部の上部に氷セット部が配置され、この氷セット部内に上部まで移送された水が放出されるように構成され、氷セット部に形成された穴から水が前記麺セット部に放出されるように構成されていることが好ましい。
【００１７】
かかる構成を有することで冷水を循環させることができ、麺を冷えた状態にして味わうことができる。
【００１８】
本考案において、前記氷セット部の上面に着脱自在な蓋が設けられ、この蓋により前記羽根部を回転可能に支持する支軸の上端が支持されることが好ましい。
【００１９】
この構成によると、蓋を取り外して氷をセットすることができる。また、羽根部を回転させるための支軸を蓋で保持することができ、羽根部を安定した状態で回転させることができる。
【００２０】
本考案に係る前記氷セット部は、着脱自在に麺セット部の上部に配置されることが好ましい。
【００２１】
この構成によると、氷セット部を取り外すことができるので、使用後の洗浄をするときに便利である。
【図面の簡単な説明】
【００２２】
【図１】本実施形態に係る麺流し器の外観を示す斜視図
【図２】本実施形態に係る麺流し器の外観を示す斜視図
【図３】本実施形態に係る麺流し器の側面図
【図４】本実施形態に係る麺流し器の平面図
【図４Ａ】蓋を取り外した状態の部分平面図
【図４Ｂ】氷セット容器を取り外した状態の部分平面図
【図５】本実施形態に係る麺流し器の垂直断面図
【図６】本実施形態に係る麺流し器の別の垂直断面図
【考案を実施するための形態】
【００２３】
本考案に係る麺流し器の好適な実施形態を図面を用いて説明する。図１は、麺流し器の外観を示す斜視図である。麺の一例としてそうめんを挙げるが、これに限定されるものではなく、うどんやそばなどの麺に対しても適用できるものである。
【００２４】
＜全体構成＞
麺流し器は、上部に麺セット部１が配置され、セット容器１０と回転羽根１１を備えている。セット容器１０は、円筒支柱２０（内部に水移送部の機能を配置）に固定されている。セット容器１０の中には回転可能に回転羽根１１が支持されている。円筒支柱２０の中心には支軸２１が設けられており、この支軸２１周りに回転羽根１１が回転可能に支持される。回転羽根１１は、中心部 から放射方向に伸びる羽根部１１ａを備えており、円周方向に等間隔で６つの羽根部１１ａが設けられている。
【００２５】
この円周方向で隣接する羽根部１１ａと羽根部１１ａの間にそうめんを収納するための収納区画１１ｂが形成される。収納区画１１ｂも円周方向に沿って等間隔に６か所設けられる。なお、収納区画１１ｂの個数は６つに限定されるものではなく、適宜の個数を設定することができる。羽根部１１ａには、そうめんを収容可能な上限位置としての目印（赤線等）を入れることが好ましい。これにより、そうめんを入れすぎて後述の螺旋樋３に放出できないなどの不具合を回避することができる。
【００２６】
また、セット容器１０の底面には、部分的に穴１０ａが形成されている（図４等 を参照）。この穴１０ａの大きさは、収納区画１１ｂの１つの大きさよりも少し小さくなるように設定されている。この位置にそうめんが移動してくると、穴１０ａから重力で下方に放出される。図１に示すように、セット容器１０の外周の一部には、下方に突出した張り出し部１０ｂが形成されており、そうめんを確実に下方の螺旋樋３に案内できるようにしている。
【００２７】
セット容器１０の上部には氷セット容器５（氷セット部に相当）が配置されている。氷セット容器５は、回転羽根１１の上部に着脱自在に取り付けられている。従って、回転羽根１１が回転するときは、氷セット容器５も一体的に回転する。氷セット容器５は、図３等に示すように、容器本体５０と蓋５１により構成される。蓋５１は、容器本体５０の上部に取り外し自在に載置される。蓋５１は、中央に行くほど盛り上がるような形状を有している。図６に示すように、蓋５１の裏面には蓋支軸５４が垂直下方に一体的に伸びており、支軸２１の中に嵌入される（図６参照）。これにより、支軸２１が回転すると、蓋５１（氷セット容器５）も一体的に回転する。放出パイプ２２の上端開口２２ａは、蓋５１の裏面とは距離が離れており、水を放出するための空間を確保している。
【００２８】
図４Ａは、蓋５１を取り外した状態の平面図であり、中心に支軸２１、そのすぐ横に放出パイプ２２の上端開口２２ａが露出する。支軸２１の上端には、蓋５１の蓋支軸５４が挿入されるようになっている。これにより、蓋５１を安定した状態で支持することができる。上端開口２２ａから放出された水は、すぐに容器本体５０内に放出される。
【００２９】
容器本体５０の底面には穴が形成されており、容器本体５０に放出された水は、この穴を介してすぐ下部のセット容器１１へと放出される。氷セット容器５には、適宜の量の氷をいれるようにし、これにより冷えた水がセット容器１１へと放出されて、そうめんも冷やすことができる。穴は小さな穴を多数形成するようにして、氷が穴から落下しないようにすると共に水はスムースに流れるように穴の大きさが設定されている。穴は円形でもよいし、ほかの形状で形成してもよい。容器本体５０は好ましくは透明の樹脂により形成されるが、ほかの素材により形成してもよい。
【００３０】
図４Ｂは、図４Ａからさらに容器本体５０を取り外した状態を示している。セット容器１０には、穴１０ａが形成されており、すぐ下部の螺旋樋３へと通じている。回転羽根１１は図の矢印に示すように反時計回りに回転し、収納区画１１ｂ内のそうめんが穴１０ａの上に来た時に、そうめんが穴１０ａから落下放出される。
【００３１】
そうめんを流すための螺旋樋３が設けられている。これは、そうめんを上部から下部に流すための経路として機能する。螺旋樋３は、複数の樋部材で構成され、上から順に第１樋部材３０、第２樋部材３１、第３樋部材３２、第４樋部材３３が連結して構成される。なお、螺旋樋３をいくつの部材に分けて構成するかは、適宜決めることができるものである。もちろん、単一の部材で構成してもよい。樋部材は好ましくは透明の樹脂で形成されるが、素材はこれに限定されるものではない。
【００３２】
螺旋樋３の螺旋半径は、下部に行くほど大きくなるように設定されている。また、重力の影響で螺旋樋３を流れ落ちる水やそうめんの速度が速くならないように螺旋樋３の傾斜が徐々に緩くなるようにしている。上記の設定により、水やそうめんを安定した状態で流すことができる。 
【００３３】
一番上にある第１樋部材３０の上端部３０ａは、ちょうど穴１０ａの直下に位置している。従って、穴１０ａから放出されたそうめんは、第１樋部材３０によって受け入れられる。一番下にある第４樋部材３３の下端部３３ａは、麺受け入れ部４の上に位置している。従って、螺旋樋３に沿って流れてきたそうめんは、麺受け入れ部４に受け入れられる。
【００３４】
複数の樋部材で螺旋樋３を構成する場合は、そのつなぎの部分で水が漏れないように、樋部材同士を重ねた状態で取り付ける。例えば、図２や図５に示すように、第１樋部材３０の下流側の端部３０ｂを第２樋部材３１の上に重ねることで、水が漏れないようにすると共に、そうめんもスムースに経路を流れていくように構成している。
【００３５】
円筒支柱２０の周面には支持部材３２０、３３０、３３１が固定されており、螺旋樋３の適宜の箇所を支持するようにしており、これにより、安定した状態で螺旋樋３が取り付けられる。
【００３６】
麺受け入れ部４は、平面視で長円形の受け入れ容器４０と、その中央に長円形の突出部４１を有している。突出部４１の周囲には、そうめんがその周面に沿って回転できるトラック状の凹部４２が設けられている。下端部３２ａの方向は、長円形の円周方向に沿っており、流れてきた水とそうめんは、凹部に沿って突出部４１の周囲を回転できるようになっている。
【００３７】
突出部４１の上には、操作ボタン４３が設けられている。また、突出部４１の表面は着脱可能な蓋４４を有しており、その内部に乾電池をセットできるようになっている。 麺受け入れ部４の横には、円筒支柱２０が一体的に取り付けられている。この円筒支柱２０に螺旋樋３が適宜の方法の固定あるいは支持されている。螺旋樋３の中心部に円筒支柱２０が配置されている。円筒支柱２０は、垂直な姿勢で麺受け入れ部４に固定されている。
【００３８】
突出部４１の内部にはモーターが配置されており、このモーターを駆動することで、受け入れ容器４０内の凹部４２に水流を発生させる。水流の発生方向は、図４の矢印に示すように反時計回りである。前述の操作ボタン４３を押すことでモーターが駆動され水流を発生させる。操作ボタン４３をもう一度押すと、水流は停止する。蓋４４のつまみ４５をもって蓋４４を取り外すことができる。内部には、電池ボックスがあり、水流を発生させるためのモーターの電源として、乾電池を２本挿入できるように構成されている。蓋４４には、凹部４６が形成されており、薬味を置くことができるようにしている。
【００３９】
蓋４４は、突出部４１の上面全体を覆うようにしており、これにより、防水性を確保している。さらに、突出部４１の内部に配置されるモーターにもシリコン部材等を用いて防水仕様が施される。
【００４０】
図６の断面図は、支軸２１と放出パイプ２２を通る線で切断した垂直断面図であり、図５は、図６に対して９０゜直交する方向で切断した断面図である。
【００４１】
円筒支柱２０の内部には、モーター７が配置されており、麺受け入れ部４にある水を吸い上げて移送パイプ７０により上方に移送する。このモーター７、移送パイプ７０、放出パイプ２２は、水移送部として機能する。図１に示すように、受け入れ容器４０の内壁面に形成された多数の小孔４０ａを介して水を吸引して、垂直上方に移送する。移送パイプ７０は、柔軟性を有するシリコンチューブで形成することが好ましいが、素材はこれに限定されるものではない。
【００４２】
移送された水は、さらに放出パイプ２２の上端開口２２ａから放出され、再び、螺旋樋３を流れ落ちて麺受け入れ部４に移動する。このようにして水は循環移送される。 
【００４３】
円筒支柱２０の上部にはモーター２１０が配置されており、回転羽根１１及び氷セット部５を回転させる。図５に示すように、モーター２１０を駆動するための電源として電池８を収容する電池ボックスが設けられている。電池ボックスには、乾電池２本が収容される。円筒支柱２０の外周面には、不図示の開閉蓋があり、電池を交換可能にしている。
【００４４】
図３及び図５に示すように、円筒支柱２０の側面には電源ダイヤル６が設けられており、内部には電源ダイヤル６と連動するスイッチ６０が設けられている。電源ダイヤル６を１段階回転することで、電源が入り、モーター２１０を駆動して回転羽根１１と氷セット部５を回転させる。電源ダイヤル６を更に回転すると、回転羽根１１の回転速度が速くなるように設定される。回転速度の設定は１種類の固定でもよいし、複数段階を設定できるようにしてもよい。電源ダイヤル６をもとの位置に戻すと、モーター２１０は停止する。円筒支柱２０の内部には、モーター、スイッチやその他の電子部品を搭載するための基板が適宜配置される。
【００４５】
＜作用＞
本実施形態による麺流し器の動作について説明する。まず、受け入れ容器４０の中に適宜の量の水を入れる。次に、収納区画１１ｂにセットすべきそうめんの玉の適宜の数、準備して、収納区画１１ｂ内にあらかじめセットしておく。あるいは、あとからセットしてもよい。さらに、氷セット容器５に氷をセットする。
【００４６】
ついで、電源ダイヤル６を回転すると、モーター７が駆動して、受け入れ容器４０内の水を吸い上げて上方に移送する。それと同時に、モーター２１０により回転羽根１１及び氷セット容器５が回転し始める。収納区画１１ｂに収容されたそうめんもいっしょに回転し始め、セット容器１０の穴１０ａから水と放出される。さらに、操作ボタン４３を押すことで、受け入れ容器４０内の水が突出部４１の周りを回転する水流が発生する。なお、操作ボタン４３は、電源ダイヤル６を回して電源ＯＮになった状態のときのみ有効であるように設定してもよいし、電源ダイヤル６に関係なく有効であるように設定してもよい。
【００４７】
吸い上げられた水は上端開口２２ａから放出され、いったんは、氷セット容器５に放出され、氷で冷やされた状態でセット容器１０に放出される。そうめんは、冷水に乗って螺旋樋３を流れ落ちる。回転羽根１１が回転して次のそうめんが穴１０ａの位置するたびに、順々にそうめんが螺旋樋３に沿って流れ落ちる。空になった収納区画１１ｂには、あらたにそうめんをセットすることができる。そうめんを食べたい人は、受け入れ容器４０に流れ落ちたそうめんや、螺旋樋３を流れている途中のそうめんを掬って食べることができる。
【００４８】
本考案によれば、螺旋樋３は螺旋状の経路を有しているので、螺旋の巻き数を大きくすれば、流れ落ちる経路の長さを大きくすることができ、しかも平面的な占有スペースは大きくならない。また、螺旋の中心部には、水を移送するための円筒支柱２０が垂直方向に配置されているから、スペースを有効活用することができ、麺流し器の大きさをコンパクトにすることができる。その結果、携帯に優れた麺流し器とすることができ、使用しないときでも部材をわざわざ分解するなどの手間は不要であり、そのまま保管しておくことができる。
【００４９】
＜別実施形態＞
本実施形態の麺流し器は、乾電池で動作するように構成されているが、充電式の電池や、商用電源で動作するように構成してもよい。本実施形態では、電池ボックスが２か所に設けられているが、１か所のみにしてもよい。
【符号の説明】
【００５０】
１          
１０      セット容器
１０ａ    穴
１１      回転羽根
１１ａ    羽根部
１１ｂ    収納区画
２０      円筒支柱
２１      支軸
２２      放出パイプ
２２ａ    上端開口
２１０    モーター
３        螺旋樋
３０      第１樋部材
３１      第２樋部材
３２      第３樋部材
３３      第４樋部材
４        麺受け入れ部
４０      受け入れ容器
４１      突出部
５        氷セット容器
５０      容器本体
５１      蓋
６        電源ダイヤル
７        モーター
７０      移送パイプ
【図１】
0003215001.tif 000003
【図２】
0003215001.tif 000004
【図３】
0003215001.tif 000005
【図４】
0003215001.tif 000006
【図４Ａ】
0003215001.tif 000007
【図４Ｂ】
0003215001.tif 000008
【図５】
0003215001.tif 000009
【図６】
0003215001.tif 000010
【手続補正書】
【提出日】平成29年12月20日(2017.12.20)
【手続補正１】
【補正対象書類名】実用新案登録請求の範囲
【補正対象項目名】請求項５
【補正方法】変更
【補正の内容】
【請求項５】
前記螺旋樋の傾斜が下部に行くほど緩くなるように設定されていることを特徴とする請求項１〜４のいずれか１項に記載の麺流し器。
【手続補正２】
【補正対象書類名】実用新案登録請求の範囲
【補正対象項目名】請求項７
【補正方法】変更
【補正の内容】
【請求項７】
前記氷セット部の上面に着脱自在な蓋が設けられ、この蓋により前記羽根部を回転可能に支持する支軸の上端が支持されることを特徴とする請求項３を引用する請求項６に記載の麺流し器。